(57)【要約】      （修正有）【課題】光源をＦＦシート面に接近可能として表面照度が確保できるとともに、強風時においてもＦＦシートと光源との距離を一定に保持できて光源の破損を防げる、光源フローティング機構、および、その機構を備えた内照式サインを提供する。【解決手段】開口部１１がＦＦシートにより被覆される枠体１０と、枠体内に直交させて配設したワイヤ群２０と、ワイヤ群の各ワイヤ２１，２２の両端を展張するスプリング３０と、ワイヤ群のワイヤ交叉部を固定するワイヤ固定手段４０とを備えている。枠体の開口部を被覆するＦＦシートと、ワイヤ群の縦横のワイヤが形成する各スペース５０にマトリックス状に配設された照光体により構成される光源とをさらに具備することにより内照式サインが得られる。【選択図】図４（ａ）
0003144193.tif 000002
【実用新案登録請求の範囲】
【請求項１】
開口部がＦＦシートにより被覆される枠体と、
該枠体内に直交させて配設したワイヤ群と、
該ワイヤ群の各ワイヤの両端を展張するスプリングと、
前記ワイヤ群のワイヤ交叉部を固定するワイヤ固定手段とを備えてなる光源フローティング機構。
【請求項２】
枠体と、
該枠体内に直交させて配設したワイヤ群と、
該ワイヤ群の各ワイヤの両端を展張するスプリングと、
前記ワイヤ群のワイヤ交叉部を固定するワイヤ固定手段と、
前記枠体の開口部を被覆するＦＦシートと、
前記ワイヤ群のワイヤが形成する各スペースにマトリックス状に配設された光源とを具備する内照式サイン。
【考案の詳細な説明】
【技術分野】
【０００１】  本考案は、光源フローティング機構、および、その機構を備えた内照式サインに関するものである。
【背景技術】
【０００２】  京都議定書に定められた温暖化ガス削減目標の達成のために省エネルギー法が改正され、新制度では原油換算で年間１５００キロリットル以上のエネルギーを消費する企業を「特定事業者」として、年間エネルギー使用量の報告と省エネ設備の更新など今後３−５年の中長期計画の作成を義務付けることとされている。この新制度ではコンビニエンスストアやファミリーレストランなどのフランチャイズチェーンも一体として一企業とみなすことで規制の対象にされ、省エネ型照明への交換、空調設備の更新など法改正を踏まえ対応を進める必要が生じている。【０００３】  近年、店舗が大型化するのに伴い店舗に設置されるサイン（看板）も大型化（例えばサイン部の大きさが縦１０ｍ、横２０ｍのものも出現している）する傾向にある。コンビニエンスストアにおいては、店頭における照明の明るさが、顧客を吸引するための重要な要因となっている。【０００４】  内照式サインにあっては、サイン部と光源の距離が近い薄型の構造物とするほど表面照度が得やすい。大型の内照式サインのサイン部には大型化が容易なＦＦシート（Ｆｌｅｘｉｂｌｅ  Ｆａｃｅ  Ｓｈｅｅｔ）が用いられ、このＦＦシートは枠体の隅部に設けた展張機構によりサイン表面に展張されるが、大型サインが薄型（図１８の厚みがＴ１）の構造物の場合、ＦＦシート２６０の中央は引張り強度が必ずしも強くないため、強風を受けると風圧によりＦＦシート自体が凹み枠体内に設置された光源２７０に当って光源がダメージを受けるという問題点があった（図１８）。【０００５】  また、ＦＦシートが強風により撓んでも光源に当らないように奥行きのある［図１９の厚みがＴ２（Ｔ１＜Ｔ２）］構造物とした場合には照明が暗くなり表面照度を確保するためには光源数を増やす必要が生じて省電力化が図れないという問題点があった（図１９）。【０００６】  さらに、ＦＦシートはアクリル面板に比べて光の透過率が低いため、光源を蛍光灯とした場合にはイメージライン（明暗のむら）が出やすく、均一に面発光させるためにはアクリル面板のサインよりも多くの蛍光灯が必要となり省電力化が図れないという問題点があった。
【考案の開示】
【考案が解決しようとする課題】
【０００７】  本考案は、光源をフローティング機構に保持させることにより強風時においてもサイン部のＦＦシートと光源との距離を一定に保てることを見出し、この知見に基づいて本考案をなすに至った。【０００８】  従って、本考案の目的は、光源をＦＦシート面に接近可能として表面照度が確保できるとともに、強風時においてもＦＦシートと光源との距離を一定に保持できて光源の破損を防げる、光源フローティング機構、および、その機構を備えた内照式サインを提供することにある。【０００９】  本考案の他の目的は、高照度とむらの無い均一な発光面を確保し、ＦＦシートサインの消費電力の削減に寄与し、ＣＯ２削減にも貢献する、光源フローティング機構、および、その機構を備えた内照式サインを提供することにある。
【課題を解決するための手段】
【００１０】  上記課題を解決するため本考案によれば、開口部がＦＦシートにより被覆される枠体と、該枠体内に直交させて配設したワイヤ群と、該ワイヤ群の各ワイヤの両端を展張するスプリングと、前記ワイヤ群のワイヤ交叉部を固定するワイヤ固定手段とを備えてなる光源フローティング機構が提供される。【００１１】  本考案によれば、枠体と、該枠体内に直交させて配設したワイヤ群と、該ワイヤ群の各ワイヤの両端を展張するスプリングと、前記ワイヤ群のワイヤ交叉部を固定するワイヤ固定手段と、前記枠体の開口部を被覆するＦＦシートと、前記ワイヤ群のワイヤが形成する各スペースにマトリックス状に配設された光源とを具備してなる内照式サインが提供される。
【考案の効果】
【００１２】  以上のような本考案によれば、次の効果を奏する。
１．  光源をＦＦシート面に接近可能として表面照度が確保できるとともに、強風時に      おいてもＦＦシートと光源との距離を一定に保持できて光源の破損を防げる、光源      フローティング機構、および、その機構を備えた内照式サインが得られる。
２．  高照度とむらの無い均一な発光面を確保し、ＦＦシートサインの消費電力の削減      に寄与し、ＣＯ２削減にも貢献する、光源フローティング機構、および、その機構      を備えた内照式サインが得られる。
【考案を実施するための最良の形態】
【００１３】  光源フローティング機構は、開口部がＦＦシートにより被覆される枠体と、該枠体内に直交させて配設したワイヤ群と、該ワイヤ群の各ワイヤの両端を展張するスプリングと、前記ワイヤ群のワイヤ交叉部を固定するワイヤ固定手段とを備えている。【００１４】  内照式サインはフローティング機構を備え、枠体の開口部を被覆するＦＦシートと、ワイヤ群のワイヤが形成する各スペースにマトリックス状に配設された光源を具備している。【００１５】  光源は照光ユニットの集合体により構成される。照光ユニットは、ＬＥＤと、該ＬＥＤが出射する光を反射する内面を備えたリフレクタと、該リフレクタの中央に配設されたＬＥＤ着設用のベースとを有している。前記リフレクタは、皿状に形成されるとともに、前記ＬＥＤより出射される光を反射させる傾斜面を底部中央の周縁に形成し、前記ベースは、縦断面形状を山形に形成し、山形の斜面に前記ＬＥＤを着設し、前記ＬＥＤが出射する光を前記リフレクタの傾斜面より上方へ反射する。
【実施例】
【００１６】図１乃至図９に本考案に係る光源フローティング機構、および、その機構を備えた内照式サインを示す。
図１は、本考案に係る内照式サインの斜視図、
図２は、内照式サインのＦＦシートの一部を剥がした状態を示す斜視図、
図４（ａ）は、本考案に係る光源フローティング機構を示す斜視図、
図６は、光源フローティング機構の要部を示す斜視図、
図９は、内照式サインの光源を構成する照光体がワイヤに掛止められることを示す要部拡大斜視図である。【００１７】  これらの図において、本考案に係る光源フローティング機構１は、開口部１１がＦＦシート６０により被覆される枠体１０と、該枠体内に直交させて配設したワイヤ群２０と、該ワイヤ群の各ワイヤ２１（２２）の両端を展張するスプリング３０と、前記ワイヤ群のワイヤ交叉部を固定するワイヤ固定手段４０とを備えている。【００１８】  前記スプリング３０は、一端が枠体１０の側壁に係止され、他端が前記ワイヤに係止される。かくして、前記枠体１０の対向側壁に配設される前記スプリング３０により前記各ワイヤ２１（２２）は展張している。【００１９】  前記ワイヤ固定手段４０は、中央にくり抜き部４１が形成された２枚の面板を接合して形成される。前記くり抜き部に前記ワイヤ群のワイヤ交叉部２５（図１１及び図１２参照）を位置させて、前記ワイヤ群を固定する。【００２０】  また、内照式サイン５は上記光源フローティング機構１を備え、さらに、枠体の開口部１１を被覆するＦＦシート６０と、前記ワイヤ群２０の縦横のワイヤ２１，２２が形成する各スペース５０にマトリックス状に配設された照光体７１により構成される光源７０とを具備している。【００２１】  前記枠体１０の底部には、前記ＦＦシート６０が強風によって撓み、それに対応して前記光源フローティング機構１も撓むときに前記フローティング機構１と前記ＦＦシート６０との距離が常時Ｔ３（Ｔ３＜Ｔ２）をとって撓むように枠体内の空気量を調整する吸排穴（風穴）１２がスリット状に形成されている。【００２２】  前記ＦＦシート６０は、前記枠体１０の隅部に設けた展張機構８０（図５参照）によりサイン表面に展張される。【００２３】  前記光源７０は照光ユニット１００の集合体により構成される。この照光ユニット１００は、前記ワイヤが形成する前記スペース５０内にマトリックス状に配設される。すなわち、一つのスペース５０内に４灯の照光ユニット１００からなる照光体７１がマトリックス状に配設される。この照光体７１の裏面上方には前記ワイヤ２２に掛止されるフック７２が、また下方には案内片７３がそれぞれ形成されている。前記照光ユニット１００は、ＬＥＤ１１０と、該ＬＥＤ１１０が出射する光を反射する内面を備えたリフレクタ１２０と、該リフレクタの中央に配設されたＬＥＤ着設用のベース１３０とを有している。【００２４】  前記リフレクタ１２０は、皿状に形成されるとともに、前記ＬＥＤ１１０より出射される光を反射させる傾斜面１２２，１２３，１２４が底部中央の周縁に形成されている。【００２５】  前記ベース１３０は、縦断面形状が山形に形成され、山形の斜面に前記ＬＥＤ１１０が着設される。【００２６】  かくして、前記ＬＥＤ１１０が出射する光を前記リフレクタ１２０の傾斜面より上方へ反射し、前記ＬＥＤ１１０が出射する光の反射光のすべてを捉えて前記リフレクタ１２０に溜めて反射させ、前記ＬＥＤ１１０が出射する光を広範囲に反射させることが可能となる（図１７参照）。【００２７】  上記の光源反射ユニット１０１を行列状に連設して配設し光源反射ユニット群を構成することによりリフレクタ前方に位��するサイン面板全体に均一な反射光を与えられることが可能となり、少ない光源数でも照度がアップする（図１４乃至図１７参照）。
符号１１１はＬＥＤに電源を供給する電線、１２７は電線導出孔である。
【図面の簡単な説明】
【００２８】
【図１】  本考案に係る内照式サインの斜視図である。
【図２】  内照式サインのＦＦシートの一部を剥がした状態を示す斜視図である。
【図３】  内照式サインのＦＦシートの一部を剥がした隅部の拡大略図である。
【図４】  本考案に係る光源フローティング機構を示し、（ａ）はその斜視図、（ｂ）は光源フローティング機構を構成する枠体の底部に風穴が形成されていることを示す斜視図である。
【図５】  光源フローティング機構の要部を示す平面図である。
【図６】  光源フローティング機構の要部を示す斜視図である。
【図７】  内照式サインの光源を構成する照光体がワイヤに掛止められることを示し、照光体の背面側から見た要部拡大斜視図である。
【図８】  内照式サインの光源を構成する照光体がワイヤに掛止められることを示す側面要部拡大図である。
【図９】  内照式サインの光源を構成する照光体がワイヤに掛止められることを示す要部拡大斜視図である。
【図１０】  内照式サインのＦＦシートが強風により内側に撓んだ状態を示す要部拡大図である。
【図１１】  光源フローティング機構を構成するワイヤ固定手段の拡大斜視図である。
【図１２】  光源フローティング機構を構成するワイヤ固定手段の拡大正面図である。
【図１３】  ワイヤ固定手段が２枚の面板を接合して形成されていることを示すワイヤ固定手段の側面図である。
【図１４】  内照式サインを構成する光源の照光ユニットを示す斜視図である。
【図１５】  内照式サインを構成する光源の照光ユニットの構成部品を分離した状態を示す斜視図である。
【図１６】  図１４のＸ−Ｘ断面の端面図である。
【図１７】  光源が出射する光の反射光のすべてを捉えてリフレクタに溜めて反射させることを示す正面略図である。
【図１８】  従来の内照式サインを示す断面略図である。
【図１９】  従来の内照式サインを示す断面略図である。
【符号の説明】
【００２８】        １    フローティング機構
１０    枠体
１１    開口部
２０    ワイヤ群
２１    ワイヤ
３０    スプリング
４０    ワイヤ固定手段
４１    くり抜き部
５０    スペース
６０    ＦＦシート
７０    光源
７１    照光体
１００    照光ユニット
１１０    ＬＥＤ
１２０    リフレクタ
１３０    ベース
【図１】
0003144193.tif 000003
【図２】
0003144193.tif 000004
【図３】
0003144193.tif 000005
【図４（ａ）】
0003144193.tif 000006
【図４（ｂ）】
0003144193.tif 000007
【図５】
0003144193.tif 000008
【図６】
0003144193.tif 000009
【図７】
0003144193.tif 000010
【図８】
0003144193.tif 000011
【図９】
0003144193.tif 000012
【図１０】
0003144193.tif 000013
【図１１】
0003144193.tif 000014
【図１２】
0003144193.tif 000015
【図１３】
0003144193.tif 000016
【図１４】
0003144193.tif 000017
【図１５】
0003144193.tif 000018
【図１６】
0003144193.tif 000019
【図１７】
0003144193.tif 000020
【図１８】
0003144193.tif 000021
【図１９】
0003144193.tif 000022